(57)【要約】      （修正有）【課題】簡単な構成ながら脱落せず、かつ、現場での修理等においても簡単に着脱可能に構成されたブッシュを備え、製造時及び修理時の作業性に優れた伸縮門扉を提供するとともに、当該伸縮門扉に使用されるブッシュを提供する。【解決手段】複数の斜桟を交差させその交差部１３をピン部材４０で回動可能に軸支させた伸縮部と、伸縮部の両端に斜桟１１の上下端部が上下方向に移動可能かつ回動可能に軸支された縦桟とを備える伸縮門扉であって、交差部において一の斜桟の軸孔１４の一方から嵌挿される第１筒部及び第１筒部の一端に設けられる軸孔より大きな第１鍔部を有する本体部５１と、軸孔の他方から嵌挿されるとともに第１筒部に接合される第２筒部及び第２筒部の一端に設けられる軸孔より大きな第２鍔部を有する蓋部５５とを備えるブッシュ５０を備え、ピン部材がブッシュを貫通して複数の斜桟を軸支する。【選択図】図３
0003198163.tif 000002
【実用新案登録請求の範囲】
【請求項１】
複数の斜桟を交差させその交差部をピン部材で回動可能に軸支させた伸縮部と、前記伸縮部の両端に前記斜桟の上下端部が上下方向に移動可能かつ回動可能に軸支された縦桟とを備える伸縮門扉であって、
前記交差部において一の前記斜桟の軸孔の一方から嵌挿される第１筒部、及び前記第１筒部の一端に設けられる前記軸孔より大きな第１鍔部を有する本体部と、
前記軸孔の他方から嵌挿されるとともに前記第１筒部に接合される第２筒部、及び前記第２筒部の一端に設けられる前記軸孔より大きな第２鍔部を有する蓋部と、
を備えるブッシュを備え、
前記ピン部材が前記ブッシュを貫通して前記斜桟を軸支することを特徴とする伸縮門扉。
【請求項２】
複数の斜桟を交差させその交差部をピン部材で回動可能に軸支させた伸縮部と、前記伸縮部の両端に前記斜桟の上下端部が上下方向に移動可能に軸支された縦桟とを備える伸縮門扉に用いられるブッシュであって、
前記交差部において一の前記斜桟の軸孔の一方から嵌挿される第１筒部、及び前記第１筒部の一端に設けられる前記軸孔より大きな第１鍔部を有する本体部と、
前記軸孔の他方から嵌挿されるとともに前記第１筒部に接合される第２筒部、及び前記第２筒部の一端に設けられる前記軸孔より大きな第２鍔部を有する蓋部とを備え、
前記ピン部材が貫通可能に構成されていることを特徴とするブッシュ。
【考案の詳細な説明】
【技術分野】
【０００１】
本考案は、複数の斜桟を交差させ、その交差部をピン部材で回動可能に軸支し、伸縮可能に構成された伸縮門扉、及び伸縮門扉の交差部に用いられるブッシュに関する。
【背景技術】
【０００２】
従来、実開昭５２−９６５３７号公報に、複数の斜桟を交差させ軸支する伸縮扉において、斜桟の軸孔に鉄等のスリーブを挿入し、そのスリーブの端部に打撃を加えることでフランジを形成し、斜桟に嵌合固定する鳩目装置を備える伸縮扉が開示されている。
【０００３】
また、特開２０１４−１３９４０２号公報には、ピン軸の端部の他物との当接による損傷からの防護、また雨水から防護して錆発生を防止して耐久性の向上を図ることを目的として、斜桟の交差部でそれぞれの斜桟に固定用ブッシュを固定し、斜桟同士の間にはスペーサを配置した伸縮門扉が開示されている（代表図面参照）。
【先行技術文献】
【特許文献】
【０００４】
【特許文献１】実開昭５２−９６５３７号公報
【特許文献２】特開２０１４−１３９４０２号公報
【考案の概要】
【考案が解決しようとする課題】
【０００５】
しかし、特許文献１に開示されている伸縮扉では、スリーブに打撃を加える製造装置と工程が必要となり、製造コストの増大を招く恐れがあるという課題があった。また、伸縮扉を使用している間に、鳩目装置の摩耗、損傷等が発生した場合、鉄等のスリーブを塑性変形させている構成上、スリーブを容易に着脱することができず、現場での修理に手間がかかるという課題もあった。
【０００６】
また、特許文献２に開示されている伸縮門扉では、斜桟の交差部にスペーサを配置しており、製造時にスペーサが脱落しないよう、組み立て順序や製造方法に工夫が必要となる恐れがあった。また、特許文献１同様に、伸縮門扉の使用においてブッシュやスペーサが摩耗等した場合、現場でブッシュを取り替える際に、スペーサが脱落しやすく作業性が悪くなるという課題もあった。
【０００７】
本考案は、上記の点に鑑みなされたもので、斜桟の交差部における軸孔において、軸孔の両側から嵌挿し軸孔の内部で接合させることで、簡単な構成ながら脱落せず、かつ、現場での修理においても簡単に着脱可能とされたブッシュを備え、製造時及び修理時の作業性に優れた伸縮門扉を提供するとともに、当該伸縮門扉に使用されるブッシュを提供することを目的とする。
【課題を解決するための手段】
【０００８】
本考案の伸縮門扉は、
複数の斜桟を交差させその交差部をピン部材で回動可能に軸支させた伸縮部と、前記伸縮部の両端に前記斜桟の上下端部が上下方向に移動可能かつ回動可能に軸支された縦桟とを備える伸縮門扉であって、
前記交差部において一の前記斜桟の軸孔の一方から嵌挿される第１筒部、及び前記第１筒部の一端に設けられる前記軸孔より大きな第１鍔部を有する本体部と、
前記軸孔の他方から嵌挿されるとともに前記第１筒部に接合される第２筒部、及び前記第２筒部の一端に設けられる前記軸孔より大きな第２鍔部を有する蓋部と、
を備えるブッシュを備え、
前記ピン部材が前記ブッシュを貫通して前記斜桟を軸支することを特徴とする。
【０００９】
本考案の伸縮門扉によれば、ブッシュが第１鍔部を有する本体部と、第２鍔部を有する蓋部とを備え、本体部の第１筒部と蓋部の第２筒部とが互いに接合されるため、斜桟をその両側から挟み込む様に本体部と蓋部とが配置され、その後に脱落することがない。また、本体部と蓋部とが接合された後、第１鍔部と第２鍔部とが斜桟の側面に沿うように設けられるため、斜桟同士の接触を防止するためのスペーサやワッシャ等を備える必要がなくなる。これらにより、伸縮門扉の製造時において、簡易な製造設備で組み立てることや作業工数の削減が可能となる。また、ブッシュが脱落することがないとともに、スペーサやワッシャ等の脱落し易い部材がないため、仕掛品を保管、移動等させることが容易となり、製造方法の選択の自由度が増す。
【００１０】
また、伸縮門扉の修理等で、伸縮門扉の設置現場でブッシュの交換作業をするとき等、斜桟が立設された状態で作業する際、本体部と蓋部とを斜桟の軸孔に嵌めて互いを接合してしまえばブッシュが脱落する心配がなくなるとともに、スペーサやワッシャ等の脱落し易い部材がないため、作業性を大幅に向上させることができる。
【００１１】
本考案のブッシュは、
複数の斜桟を交差させその交差部をピン部材で回動可能に軸支させた伸縮部と、前記伸縮部の両端に前記斜桟の上下端部が上下方向に移動可能に軸支された縦桟とを備える伸縮門扉に用いられるブッシュであって、
前記交差部において一の前記斜桟の軸孔の一方から嵌挿される第１筒部、及び前記第１筒部の一端に設けられる前記軸孔より大きな第１鍔部を有する本体部と、
前記軸孔の他方から嵌挿されるとともに前記第１筒部に接合される第２筒部、及び前記第２筒部の一端に設けられる前記軸孔より大きな第２鍔部を有する蓋部とを備え、
前記ピン部材が貫通可能に構成されていることを特徴とする。
【００１２】
本考案のブッシュによれば、当該ブッシュを伸縮門扉を構成する斜桟の交差部の軸孔に設けることにより、上述の伸縮門扉と同様の作用効果を奏することができる。
【考案の効果】
【００１３】
以上説明したように、本考案によれば、斜桟の交差部の軸孔において、軸孔の両側から嵌挿し軸孔の内部で接合させることで、簡単な構成ながら脱落せず、かつ、現場での修理においても簡単に着脱可能とされたブッシュとなり、製造時及び修理時における作業性に優れた伸縮門扉、並びにブッシュとすることができる。
【図面の簡単な説明】
【００１４】
【図１】本考案の一実施形態に係る伸縮門扉を説明する図である。
【図２】図１に示す伸縮門扉を畳んだ状態を示す図及び交差部の拡大図である。
【図３】交差部の端面図である。
【図４】本考案の一実施形態に係るブッシュを説明する図である。
【考案を実施するための形態】
【００１５】
以下、本考案の伸縮門扉の実施の形態について、添付図面を参照して詳細に説明する。なお、本考案のブッシュは、本考案の伸縮門扉に用いられるため、伸縮門扉と併せて説明する。
【００１６】
図１は本考案の一実施形態に係る伸縮門扉１を説明する図、図２は図１に示す伸縮門扉１を畳んだ状態を示す図及び交差部１３の拡大図である。また、図３は図２に示す交差部１３のＡ−Ａ線端面のうち、ピン部材４０を切断しない状態で示した端面図である。また、図４（Ａ）は本考案の一実施形態に係るブッシュ５０を説明する斜視図であり、図４（Ｂ）はブッシュ５０の縦断面図である。
【００１７】
図１及び図２に示すように、本実施形態の伸縮門扉１は、伸縮部１０と、縦桟２０と、中桟３０とを備える。そして、伸縮部１０を延ばしたときは図１に示す状態となり、伸縮部１０を折り畳んだときは図２に示す状態となる。
【００１８】
伸縮部１０は、複数の第１斜桟１１と、複数の第２斜桟１２と、これらの第１斜桟１１及び第２斜桟１２が交差される交差部１３（交差部を特定しない場合は符号に「１３」を用いて表わす。）を備えるもので、前記交差部１３で回動可能に軸支されることにより、パンタグラフ状に伸縮可能に構成される。
【００１９】
第１斜桟１１は、所定の長さを有する金属製の角パイプであり、その両端部、中央部、さらに両端部と中央部との中間位置の５箇所に交差部１３を備える。また、第２斜桟１２は、第１斜桟１１の略半分の長さを有する金属性の角パイプであり、その両端部と中央部の３箇所に交差部１３を備える。そして、伸縮部１０の両端部は、それぞれ上下及び中央の３つの端部を有し、上側の端部からは斜め下方向に第１斜桟１１が配置され、下側の端部からは斜め上方向に第１斜桟１１が配置され、これらの第１斜桟１１はその中央の交差部１３ａで回動可能に軸支される。また、伸縮部１０の中央の端部からは長さの短い第２斜桟１２が斜め上方向と斜め下方向に配置され、その中央の交差部１３ｂと、上記の第１斜桟１１の両端部と中央部との中間位置の交差部１３ｂが回動可能に軸支される。さらに、これらの第１斜桟１１及び第２斜桟１２の反対側の端部から、別の第１斜桟１１が順番に交差部１３ｃで軸支され、さらにこれらの第１斜桟１１同士も交差部１３ｄで軸支されることによりパンタグラフ状の伸縮部１０が形成される。このような構成により、伸縮部１０の伸縮時には、伸縮部１０の両端部のうち上下の端部、すなわち第１斜桟１１の端部が上下方向に回動しながら移動する。また、中央の端部、すなわち第２斜桟１２の端部は上下方向に回動するのみで移動はしない。
【００２０】
交差部１３は、図２の拡大図及び図３に示すように、第１斜桟１１又は第２斜桟１２が互いに交差された場所で回動可能に軸支される箇所であり、軸孔１４と、ピン部材４０と、ブッシュ５０とを備える。軸孔１４は、第１斜桟１１又は第２斜桟１２の側面に設けられた孔であり、当該箇所をブッシュ５０及びピン部材４０が貫通する。ピン部材４０は、金属等の容易に折れ曲がらない材質からなる棒状部材で、交差部１３を回動可能に軸支する。本実施形態ではピン部材４０として、公知のボルト４１とナット４２とを採用している。なお、ナット４２には緩み止め機能を有するロックナット等を採用することが好ましい。また、ボルト４１とナット４２以外にも、リベット、割ピン等の様々なものを採用することができる。
【００２１】
ブッシュ５０は、図３及び図４（Ａ）（Ｂ）に示すように、本体部５１と、蓋部５５とを備える。また、本体部５１は、第１筒部５２と、第１鍔部５４と、嵌合部５３とを備える。第１筒部５２は、交差部１３において一の斜桟の軸孔１４の一方から嵌挿される筒状部材であり、その長さは第１斜桟１１又は第２斜桟１２の奥行きと略同じ寸法となっている。第１鍔部５４は、第１筒部５２の一端に設けられる、斜桟の軸孔１４より大きなフランジ状のものであり、第１筒部５２が軸孔１４に嵌挿されたとき、斜桟の側面に当接され、平ワッシャやスペーサとしての機能を有する。嵌合部５３は、第１筒部５２の他端に設けられ、第１筒部５２の内径を一回り大きくしたものである。
【００２２】
蓋部５５は、第２筒部５６と、第２鍔部５７とを備える。第２筒部５６は、斜桟の軸孔１４の他方から嵌挿される筒状部材であり、その外径は前記嵌合部５３の内径と略同じ大きさとされるとともに、その長さは嵌合部５３の長さと略同じとされ、前記嵌合部５３に嵌め合わされ接合される。第２鍔部５７は、第２筒部５６の一端に設けられる、斜桟の軸孔１４より大きなフランジ状のものであり、第２筒部５６と嵌合部５３とが接合されたとき、第１鍔部５４同様に斜桟の側面に当接され、平ワッシャやスペーサとしての機能を有する。そして、本体部５１と蓋部５５が、一の斜桟の軸孔１４の両面から嵌挿され、結合されるため、第１鍔部５４と第２鍔部５７とで斜桟の両面を挟み、ブッシュ５０が軸孔１４から脱落しなくなる。
【００２３】
なお、嵌合部５３と第２筒部５６とのはめ合いは、一度結合させると容易に外れず、かつ、へら、マイナスドライバー等の手動工具を用いると簡単に外れる程度の中間ばめが好ましい。これは、本実施形態の伸縮門扉１を設置した後、修理等でブッシュ５０を交換するときに作業性を向上させるためである。また、第１筒部５２と第２筒部５６との接合は、本実施形態の嵌合に限られず、ネジによる接合、互いに係止部を有する係止等、公知の様々な方法が用いられる。また、ブッシュ５０の材質は特に限定されないが、着脱を容易にするために合成樹脂を採用することが好ましい。
【００２４】
図１及び図２に戻り、縦桟２０は、伸縮部１０の左右両端に一対設けられる立設された桟で、可動軸受け２１と、固定軸受け２３と、係止フック２４と、車輪２５とを備える。
【００２５】
可動軸受け２１は、縦桟２０の上下に一対設けられるもので、上下方向に長い長孔２２を備える。そして、第１斜桟１１の端部が長孔２２に軸支される。この長孔２２により、伸縮部１０が伸縮する際に発生する、第１斜桟１１の端部の上下移動を吸収し、第１斜桟１１の端部が上下方向に移動可能かつ回動可能となる。
【００２６】
固定軸受け２３は、上記一対の可動軸受け２１の中間位置に設けられるもので、第２斜桟１２の端部が軸支され、第２斜桟１２が上下方向に回動可能とされる。
【００２７】
係止フック２４は、縦桟２０の側面のうち、伸縮部１０が接続される側と反対の側に設けられた、正面視略Ｌ字状の部材で、図示しない支柱の係止部に係止され、縦桟２０を固定する。
【００２８】
車輪２５は、縦桟２０の下端に設けられるもので、伸縮門扉１の伸縮時に縦桟２０を接地面ＧＬの上で移動しやすくする作用を有する。
【００２９】
中桟３０は、伸縮部１０の左右方向の略中央に設けられるもので、長孔３１と車輪３２とを備え、その下側において、第１斜桟１１の端部同士が交差する交差部１３ｅが、長孔３１に上下方向に移動可能かつ回動可能に軸支される。また、中桟３０の上側において、第１斜桟１１の中央同士が交差する交差部１３ｆが、回動可能に軸支される。そして、中桟３０の下端に設けられた車輪３２によって、伸縮門扉１の伸縮時に縦桟２０を接地面ＧＬの上で移動しやすくするとともに、伸縮部１０の自重による曲がりを抑制する。なお、中桟３０の数は１本に限られず、伸縮部１０の両端を除き、第１斜桟１１の端部の交差部１３のどこに設けてもよい。また、中桟３０の長さも、第１斜桟１１の上側の端部の交差部１３ｇまで伸ばして、当該交差部１３ｇを別の図示しない長孔に軸支させてもよい。
【００３０】
なお、ブッシュ５０の使用方法であるが、上述したように、第１斜桟１１又は第２斜桟１２の軸孔１４の一方の方向から本体部５１を嵌挿し、軸孔１４の他方の側から蓋部を嵌挿し、嵌合部５３と第２筒部５６とを嵌め合わせればよい。また、ブッシュ５０を取り外すときは、第１鍔部５４と第１斜桟１１若しくは第２斜桟１２の側面との間、又は第２鍔部５７と第１斜桟１１若しくは第２斜桟１２の側面との間に、ヘラやマイナスドライバー等の工具を差込み、こじることにより嵌合部５３と第２筒部５６との接合を解除させることができる。
【００３１】
以上説明したように、本実施形態の伸縮門扉によれば、第１斜桟又は第２斜桟の交差部の軸孔において、ブッシュが本体部と蓋部とを備えるという簡単な構成ながら、これらを嵌め合わせることで脱落することがなくなる。また、ブッシュは第１鍔部と第２鍔部とを備えるため、これらの鍔部が平ワッシャやスペーサの作用を有し、他にワッシャ等を備える必要がなくなる。これらにより、製造時において、組み立てが容易となり、製造コストの低減を図ることができる。また、第１斜桟又は第２斜桟の仕掛品を保管又は移動させることが容易となり、製造方法の選択の自由度を向上させることができる。
【００３２】
また、現場での修理においても簡単にブッシュが着脱可能となるとともに、脱落しやすいワッシャ等が存在しないため、修理が容易となり、作業工数の削減を図ることができる。
【００３３】
なお、上述した伸縮門扉及びブッシュは本考案の例示であり、考案の趣旨を逸脱しない範囲において、その構成を適宜変更することができる。
【符号の説明】
【００３４】
１・・伸縮門扉
１０・・伸縮部、１１・・第１斜桟、１２・・第２斜桟、１３，１３ａ〜１３ｇ・・交差部、１４・・軸孔、
２０・・縦桟、２１・・可動軸受け、２２・・長孔（縦桟）、２３・・固定軸受け、２４・・係止フック、２５・・車輪（縦桟）、
３０・・中桟、３１・・長孔（中桟）、３２・・車輪（中桟）、
４０・・ピン部材、４１・・ボルト、４２・・ナット、
５０・・ブッシュ、５１・・本体部、５２・・第１筒部、５３・・嵌合部、５４・・第１鍔部、５５・・蓋部、５６・・第２筒部、５７・・第２鍔部、
【図１】
0003198163.tif 000003
【図２】
0003198163.tif 000004
【図３】
0003198163.tif 000005
【図４】
0003198163.tif 000006